(57)【要約】本発明は、高密度織物を高速で製織する際、耳端部の織り口の後退や耳たるみの発生を低減することができる装置および織物を製造する方法を提供することを目的とする。  本発明は増糸と緯糸とが交絡してなる耳部が織物の送り出し方向に通過可能な耳部通過空間と、緯糸が織物の送り出し方向に移動可能な緯糸移動空隙とを有し、前記緯糸が緯糸カッターで切断された場合にあっても、前記耳部の交絡状態を維持する手段を有する織機用耳部把持装置および前記装置を具備した織機で製織する方法である。
2015041176.tif 000002
【特許請求の範囲】
【請求項１】
織機に取り付けられる耳部把持装置であって、
前記耳部把持装置は、増糸と緯糸とが交絡してなる耳部が織物の送り出し方向に通過可能な耳部通過空間と、緯糸が通過可能な緯糸移動空隙とを有し、前記緯糸が織機の緯糸カッターで切断された場合にあっても、前記耳部の交絡状態を維持する手段を有する織機用耳部把持装置。
【請求項２】
前記耳部の交絡状態を維持する手段が、前記耳部通過空間にある弾性の耳部挟持部材である請求項１記載の織機用耳部把持装置。
【請求項３】
前記耳部弾性挟持部材が板バネ、または弾性部材と板材とからなる部材である請求項２記載の織機用耳部把持装置。
【請求項４】
請求項１〜３のいずれか記載の織機用耳部把持装置が、織物の耳部であって、緯糸カッターによって切断される緯糸の位置に存在する織機。
【請求項５】
経糸を所定本数引き揃え、引き揃えた経糸より外側に増糸を引き揃え、経糸および増糸に対して緯糸を供給する織物の製造方法であって、請求項４記載の織機を用い、緯糸を切断する際に前記織機に存在する織機用耳部把持装置で耳部を把持することを特徴とする織物の製造方法。
【請求項６】
織機用耳部把持装置から排出された耳部から徐々に増糸が離脱する工程を有する請求項５記載の織物の製造方法。
【請求項７】
経糸を所定本数引き揃え、引き揃えた経糸より外側に増糸を引き揃え、経糸および増糸に対して緯糸を供給する織物の製造方法であって、緯糸を供給し、織物へ筬打ちした後、緯糸を切断する際に、増糸と緯糸とが交絡してなる耳部を把持することを特徴とする織物の製造方法。
【発明の詳細な説明】
【技術分野】
【０００１】
本発明は、織機用耳部把持装置に関する。より詳しくは、高密度織物の製織に際し、耳部近傍に発生する耳たるみの発生を効果的に抑止するための織機用耳部把持装置、それを備えた織機およびそれを用いた織物の製造方法に関する。
【背景技術】
【０００２】
従来、スポーツ衣料や産資などの用途を中心に、ポリエステルやナイロンをはじめとする合成繊維マルチフィラメントを用いた高密度織物が数多く提案されている。用途の多様化により、更に薄地にしたり、またこれに伴い高強度化したりした織物が求められている。【０００３】
一般に、高密度織物を製織する際、カバーファクターが大きくなるほど、織り前の織り口が筬の前進位置よりも経糸の送り出し側に移動する量が大きくなる。これによって、以下のような不都合が発生する。【０００４】
（なおカバーファクターとは、経糸総繊度をＤ１（ｄｔｅｘ）、経糸密度をＮ１（本／２．５４ｃｍ）とし、緯糸総繊度をＤ２（ｄｔｅｘ）、緯糸密度をＮ２（本／２．５４ｃｍ）とすると、（Ｄ１×０．９）１／２×Ｎ１＋（Ｄ２×０．９）１／２×Ｎ２で表される値である。）。
（ａ）織り前近傍の織物がバンピング現象を起こし、所望の緯糸密度の織物が得られにくくなる。
（ｂ）経糸が毛羽を誘発し、安定して製織することができなくなる。
（ｃ）織機回転数を高速化すると、耳部の織り口が筬の前進位置よりも経糸の送り出し側に移動する量が大きくなる現象が更に顕著に現れる。耳部の経糸緩みにより、耳部と中央部との布長差が生じ、耳部の波打ち現象、いわゆる耳たるみ（日本語では他に「耳弛み」、「耳たぶり」とも言う。）が出現する。織物は、裁断、縫製により所望の製品に形成されるが、織物を目的の用途に最大限有効利用するため、通常、織物の端部の近くまで使用される。裁断品の端はほつれ易いため、耳部近傍に耳たるみが発生していると、裁断不良が生じ、製品としての形状が確保できなかったり機能を発揮しなかったりする。
（ｄ）生機での耳たるみは、ロール巻き工程、精練工程、セット工程それぞれの加工通過性に支障を及ぼすばかりでなく、得られる織物の皺発生の原因にもなる。
耳たるみの発生を抑止する技術として、製織に耳部の織密度を織物本体部分の織密度より高くする方法（特許文献１）、地糸と絡糸からなる耳部にさらに増糸を打ち込む方法（特許文献２）、織物の外側にある複数の増糸の一部に異型断面糸絡糸を使用する方法（特許文献３）、耳部の経糸の断面形状を扁平にする方法（特許文献４）などが知られているが、必ずしも十分に耳たるみの発生を抑止しえるものとは言えない。【０００５】
上記技術とは別に、エアジェットルームやウォータージェットルームで、飛走してきた緯糸の到達部に一対の把持ローラーを設け、経糸の筬締め完了までの所定時間、緯糸に拘束張力を与えて、緯糸のスプリングバックを押さえる方法（特許文献５）や、同じく緯糸の到達部に設けた緯糸緊張装置を駆動制御する方法（特許文献６）が知られている。
【先行技術文献】
【特許文献】
【０００６】
【特許文献１】特開平９−３０２５４９号公報
【特許文献２】特開平９−３０２５５０号公報
【特許文献３】特開２００１−３５５１４３号公報
【特許文献４】特開２００３−２２１７４９号公報
【特許文献５】特開平１０−４６４４５号公報
【特許文献６】特開平１０−２９８８５０号公報
【発明の概要】
【発明が解決しようとする課題】
【０００７】
しかしながら上記従来技術は、いずれも飛走してくる緯糸を把持するために複雑な制御を必要とし、織物製造のコストアップに繋がるという問題があった。【０００８】
本発明は、上記従来技術の欠点に鑑み、高密度織物を高速で製織する際、耳部の織り口の後退や耳たるみの発生を効果的に抑止することができる織機用耳部把持装置、織機および織物の製造方法を提供することを課題とする。
【課題を解決するための手段】
【０００９】
上記課題を解決するために、本発明は以下の手段から構成される。
本発明は、
（１）織機に取り付けられる耳部把持装置であって、
前記耳部把持装置は、増糸と緯糸とが交絡してなる耳部が織物の送り出し方向に通過可能な耳部通過空間と、緯糸が通過可能な緯糸移動空隙とを有し、前記緯糸が織機の緯糸カッターで切断された場合にあっても、前記耳部の交絡状態を維持する手段を有する織機用耳部把持装置である。
第一の実施形態は、
（２）前記耳部の交絡状態を維持する手段が、前記耳部通過空間にある弾性の耳部挟持部材である前記織機用耳部把持装置である。
第二の実施形態は、
（３）前記耳部弾性挟持部材が板バネ、または弾性部材と板材とからなる部材である請求項２記載の織機用耳部把持装置である。
また別の発明としては、
（４）前記いずれか織機用耳部把持装置が、織物の耳部であって、緯糸カッターによって切断される緯糸の位置に存在する織機である。
また別の発明として、
（５）経糸を所定本数引き揃え、引き揃えた経糸より外側に増糸を引き揃え、経糸および増糸に対して緯糸を供給する織物の製造方法であって、前記織機を用い、緯糸を切断する際に前記織機に存在する織機用耳部把持装置で耳部を把持することを特徴とする織物の製造方法である。
またその実施態様としては、
（６）織機用耳部把持装置から排出された耳部から徐々に増糸が離脱する工程を有する前記織物の製造方法である。
また織物の別の製造方法の発明としては、
（７）  経糸を所定本数引き揃え、引き揃えた経糸より外側に増糸を引き揃え、経糸および増糸に対して緯糸を供給する織物の製造方法であって、緯糸を供給し、織物へ筬打ちした後、緯糸を切断する際に、耳部を把持することを特徴とする織物の製造方法。
【発明の効果】
【００１０】
上記発明（１）の織機用耳部把持装置を用いて製織すれば、耳部は耳部把持装置内にあってその交絡状態を維持するよう構成されるので、緯糸クリンプの発生を防止できるとともに、経糸の緩みを防止し、耳たるみを効果的に抑止することができる。同様に、上記実施形態（２）にかかる織機用耳部把持装置を用いて製職すれば、耳部把持装置内にある耳部は、耳部弾性挟持部材によって弾性的に挟持されるので、耳部の送り出しがよりスムーズに行われるとともに、より確実に増糸と緯糸との交絡状態が維持されるので、緯糸クリンプの発生を防止できるとともに、経糸緩みを防止し耳たるみを効果的に抑止することができる。【００１１】
さらに、上記発明（３）にかかる織機用耳部把持装置を用いて製職すれば、耳部弾性挟持部材が板バネまたは弾性部材と板材とからなる部材で構成されているので、構造が簡単かつ安価であり、耳部の送り出しがよりスムーズに行われるとともに、一層、確実に増糸と緯糸との交絡状態が維持されるので、耳端部の織り口の後退や耳たるみの発生をより効果的かつ安価に抑止することができる。【００１２】
上記発明（４）にかかる織機を用いて製織すれば、耳端部の織り口の後退や耳たるみの発生を効果的に抑止して製織できる。【００１３】
さらに上記発明（５）にかかる製織方法によれば、耳部は耳部把持装置内にあって、その交絡状態を維持するよう構成されるので、緯糸クリンプの発生を防止できるとともに、経糸緩みを防止し、耳たるみを効果的に抑止した織物を得ることができる。【００１４】
上記実施態様（６）によれば、織物の移動とともに耳部把持装置から排出された耳部から増糸が離脱するので、耳部の切断作業も不要となるし、増し糸を別に巻き取ることで、再利用も可能となる。【００１５】
さらに上記発明（７）にかかる製織方法によれば、耳部はその交絡状態を維持するよう構成されるので、緯糸クリンプの発生を防止できるとともに、経糸緩みを防止し、耳たるみを効果的に抑止した織物を得ることができる。【００１６】
製織方法の発明においては、特にウォータージェットルーム等の流体噴射式織機で製織し、織機用耳部把持装置を、緯糸を打ち出すノズルである緯糸ノズルの側に設置し、緯糸を緯糸ノズルと織機用耳部把持装置の間で、緯糸カッターで切断するようにした場合であっても、耳部は耳部把持装置内にあってその交絡状態を維持するよう構成されるので、緯糸クリンプの発生を防止できるとともに、経糸緩みを防止し、耳たるみを効果的に抑止することができる。
【図面の簡単な説明】
【００１７】
【図１】織機用耳部把持装置を含む織機の要部を示す模式平面図。
【図２】織機用耳部把持装置を示す模式斜視図。
【図３】耳部弾性挟持部材として、一組の板バネを用いた織機用耳部把持装置の模式断面図。
【図４】耳部弾性挟持部材として、一組の板バネを用いた織機用耳部把持装置の模式断面図。
【図５】耳たるみの評価方法を示す図。
【発明を実施するための形態】
【００１８】
以下、本発明を実施するための最良の形態を、図面等を用いて説明する。
【００１９】
本発明の織機用耳部把持装置は、増糸と緯糸とが交絡してなる耳部が織物の送り出し方向に通過可能な耳部通過空間と、緯糸が織物の送り出し方向に移動可能な緯糸移動空隙とを有し、前記緯糸が緯糸カッターで切断された場合にあっても、前記耳部の交絡状態を維持する手段を有する織機用耳部把持装置である。
【００２０】
なお、耳房とは、緯糸ノズルから供給された後、切断され、織物からはみ出した緯糸のことである。増糸とは、織物の地糸とは別に耳房を絡めるために、織物の外側で経方向に挿入される糸である。経糸と同様に増糸の間に緯糸が緯入されることによって、増糸と緯糸とが上下に位置を変えて交差している状態、すなわち交絡した状態が形成される。耳部とは、耳房と増糸が交絡した部分のことである。
【００２１】
図１は、本発明の織機用耳部把持装置を緯糸ノズル側に設置した場合の製織の概要を示す模式平面図であり、１は経糸、２は増糸、３は筬、４は緯糸ノズル、５は緯糸、６は緯糸カッター、７は織機用耳部把持装置、８は耳房、９は筬親羽である。なお製織において図１の右には、さらに複数の経糸が存在し、また緯糸５および筬３がさらに延びているが、図示していない。
【００２２】
緯糸ノズル４から供給された緯糸５は、増糸供給装置（図示せず）から供給された増糸２の間及び経糸供給装置（図示せず）から供給された経糸１の間に緯入れされる。経糸１の間に緯入れされた緯糸５は筬３および筬親羽９により打ち込まれ、織物１０、耳部１１が形成される。なお打ち込まれた緯糸５の先端は、通常キャッチコード（図示せず）等により絡め取られ、所定時間緯糸張力が維持され、その後織物１０とキャッチコードの間で反ノズル側緯糸カッター(図示せず)により切断され、キャッチコードは回収される。
【００２３】
増糸２と緯糸５とが交絡した耳部１１は、筬打ちされることなく織機用耳部把持装置７に供給され、織物１０、耳房８の移動に同調して耳部把持装置内を移動する。このとき、緯糸５は、緯糸カッター６により、筬打ち直後に切断されるが、緯糸カット後の耳部１１は耳部把持装置内にあってその交絡状態が維持されるので、緯糸クリンプの発生や経糸緩みの発生を防ぐことができる。
【００２４】
緯糸がカットされた耳部１１はそのまま耳部把持装置から排出され、織物１０とともに移動する。しかし、耳部１１は織機用耳部把持装置から排出されることによって、増糸２と耳房８との交絡状態が維持されなくなる。耳房８は徐々に増糸２から離脱して移動する。増糸２は単独で移動する。また織物１０と耳房８とは共に移動する。増糸２は、図示しないガイドを通して反緯糸ノズル側（緯糸ノズルではない側）のキャッチコードと同じルートもしくは別巻取装置で回収される。
このようなメカニズムで、緯糸カット後の緯糸クリンプや経糸緩みが生ぜず、耳端部の織り口の後退や耳たるみの発生が効果的に抑止される。
【００２５】
緯糸クリンプや経糸緩みを生じにくくするために、耳部を把持する長さ（すなわち、織物耳部の交絡状態を維持する手段が耳部を押さえるところの織物の長手方向の長さ。以下「耳部把持長さ」という。）としては２〜１５ｍｍ分確保するのが好ましく、より好ましくは３〜１０ｍｍである。この範囲にすることによって、筬打ち後、緯糸がカットされても高張力を維持することができ、織物組織を安定させることができる。
【００２６】
耳部を把持する幅としては（すなわち、織機用耳部把持装置が耳部を把持する織物長手方向に対し垂直方向（耳部を形成する増糸が並ぶ方向）の長さ。以下「耳部把持幅」という。）、耳部全体を把持し得る幅であることが好ましい。ただ、筬打ち後、緯糸がカットされても織物組織を安定させるべく、高張力を維持できる幅であれば前記に限らない。
【００２７】
尚、織機用耳部把持装置は織物１０の緯糸ノズル側にのみ配しているが、反緯糸ノズル側にも配してもよい。反緯糸ノズル側に織機用耳部把持装置を配する場合には、織物と反緯糸ノズル側の緯糸カッターの間に設けるのが好ましい。その際には緯糸ノズル側と同様、織物の反緯糸ノズル側に増糸を引き揃え、打ち込まれた緯糸と交絡した耳部を形成し、その耳部の織り前近傍に織機用耳部把持装置を配することが好ましい。より好ましくは、緯糸張力が最も維持されるよう、緯糸ノズル側の織機用耳部把持装置と反緯糸ノズル側の織機用耳部把持装置とが織物の経糸を介して対峙するよう配する。
【００２８】
図２は、本発明にかかる織機用耳部把持装置７を緯糸ノズル４側に設置した場合の拡大模式斜視図であり、１は経糸、２は増糸、４は緯糸ノズル、５は緯糸、８は耳房、１０は織物、１１は耳部である。織物１０は図面右上側から図面左下側に送り出される。また図面右下の部分にはさらに複数経糸があり、また緯糸５がさらに延びているが、図示していない。
【００２９】
織機用耳部把持装置７は、少なくとも織物１０の緯糸ノズル側に設けるのが望ましいが、それに加えて更に反緯糸ノズル側に設けるのが好ましい。
【００３０】
本発明にかかる織機用耳部把持装置７は、増糸２と緯糸５とが交絡してなる耳部１１が織物の送り出し方向に通過可能な耳部通過空間からの耳部の出口７１Ｂと、織機用耳部把持装置７の増糸２上流側に形成された耳部通過空間への耳部の入口７１Ａ（図示せず）とを備える。耳部の出口７２Ｂは、耳房８が織物１０の送り出し方向に平行に移動するための織物側緯糸移動空隙部であり、織機用耳部把持装置７の緯糸ノズル側には図示しない緯糸ノズル側緯糸移動空隙７２Ａが形成されている。
【００３１】
耳部１１は織物１０の送り出し方向にそって、耳部通過空間の入口７１Ａから耳部通過空間部に侵入するとともに、耳房８はノズル側緯糸移動空隙７２Ａ、織物側耳部移動空隙部７２Ｂの間に設けた把持手段により把持され、耳部通過空間部内を織物１０の送り出し方向に平行に移動するが、緯糸ノズル４と織機用耳部把持装置７との間において、緯糸５が緯糸カッターで切断された場合にあっても、耳部の交絡状態は維持される。
【００３２】
織機用耳部把持装置内にあって耳部１１の交絡状態を維持する手段しては、耳部通過空間の中に、耳部の移動を妨げない摺動性部材があげられる。耳部１１を把持できるよう、耳部通過空間寸法を耳部寸法に合わせて適宜設定する方法を採用することもできるが、織機用耳部把持装置の耳部通過空間の中に、耳部を弾性的に挟持する耳部弾性挟持部材を配する方法の方がより簡便かつ確実である。
【００３３】
この場合、耳部弾性挟持部材としては、耳部通過空間内に設けられゴム板や樹脂板を用いたり、コイルバネやゴム等の弾性部材と金属などの板材とからなる部材を用いることができる。さらに耳部通過空間にて固定した板バネを用いるのが構造面及び簡便性、すなわちコスト面で有利である。そして耳部との接触部分は底摩擦性の表面を有していることが好ましい。  
【００３４】
図３は、耳部弾性挟持部材として、一組の板バネ７４Ａ、７４Ｂを用いた織機用耳部把持装置の模式断面図であり、図２において、緯糸５と直行する面で切断した場合に相当する。
【００３５】
製織においては、織物が巻き取りロールで強制的に引き取られているので、耳部１１は増糸２と緯糸５とが交絡した状態で、図面右側から左側に、すなわち耳部通過空間への入口７１Ａから耳部通過空間から出口７１Ｂに、移動する。７４Ａ、７４Ｂは耳部通過空間部内にされた一対の炭素鋼製の板バネ等の挟持部材であり、耳部通過空間部の上下壁面に各々２本のボルト７３で固定されている。そこで板バネ７４Ａ、７４Ｂに弾性耳部部材は耳部通過空間部の中にある耳部１１を上下面から挟持する。緯糸５が緯糸ノズル４と織機用耳部把持装置７との間で切断された場合にあっても、切断された緯糸５が耳部１１から抜け出たり緩んだりしたりするのを防止し、耳部１１は織機用耳部把持装置７内にあってその交絡状態を維持する。耳部１１が耳部通過空間部内を移動し、織機用耳部把持装置７から排出されて、織物１０が耳房８とともに移動すると、増糸２と切断された耳房８との交絡状態が弛み、切断された耳房８は徐々に増糸２から離脱し、増糸２は単独で、また織物１０と耳房８とは分離してくることは上述したとおりである。
【００３６】
弾性耳部挟持部材は、必ずしも一対で構成する必要はなく、耳部通路区間部内の上方（もしくは下方）の壁面とその下方（もしくは上方）に配した一枚の板バネとしてもよい。板バネ形状としては、種々のものを採用しえるが、耳部を一定長に渡って均一な応力で挟持する上では、図３のように、平面形状とその両端に２つの円弧形状とを備えた板バネ７４Ａ、７４Ｂ一対を用いるのが好ましい。平板形状をとる部分の長さや幅並びに板バネ材の厚さ等は、耳部を構成する増糸の数や太さ、耳部の厚さ等を勘案し、織機用耳部把持装置７から排出された耳部で、緯糸をカット後の緯糸クリンプや経糸緩みが生じない程度に耳部の交絡状態を維持できるよう適宜設定すればよい。また、素材としては、炭素鋼に限らず、ステンレス鋼、燐青銅、ベリリウム銅、樹脂等を採用することもできる。
【００３７】
図４は、図３に示す織機用耳部把持装置７を、増糸２の送り出し方向に直交する面で切断した模式断面図である。この図において、７２Ａは緯糸ノズル側の緯糸（切断前及び切断後）が耳部とともに移動するための緯糸移動空隙であり、７２Ｂは緯入れされた緯糸５が織物１０の送り出し方向に移動するための緯糸移動空隙である。これらの緯糸移動空隙７２Ａ、７２Ｂは、緯糸は通過するが交絡状態にある増糸と緯糸との交絡部（すなわち、耳部）は通りぬけないよう間隙を調整できるので、緯糸が緯糸ノズル側で切断された場合でも交絡状態が維持され、切断された緯糸の抜けや緩みによる緯糸クリンプの発生や経糸緩みによる耳房ヘタリが生ずることはない。したがって緯糸移動空隙の高さは耳部通過空間部の入口および出口の高さよりも小さいことが好ましい。
【００３８】
本発明に係る織機用耳部把持装置を用いて製織する織物は、典型的にはスポーツ衣料や産業資材等で用いられる高密度織物を製織する際に特に有用であるが、これに限定されるものではない。
【００３９】
製織に用いる経糸、緯糸用の糸としては、特に制限はなく、化学繊維、天然繊維等を用いることができる。化学繊維としては例えば、ポリアミド系繊維、ポリエステル系繊維、アラミド系繊維、レーヨン系繊維、ポリスルホン系繊維、超高分子量ポリエチレン系繊維等、天然繊維としては綿、麻、絹、ウール等を用いることができるが、高密度織物を製織する場合には化学繊維が好ましく、なかでも、大量生産性や経済性に優れたポリアミド系繊維やポリエステル系繊維が好ましく、耐熱性や毛羽品の観点から、ポリアミド系繊維がさらに好ましい。
【００４０】
ポリアミド系繊維としては例えば、ナイロン６、ナイロン６６、ナイロン１２、ナイロン４６や、ナイロン６とナイロン６６との共重合ポリアミド、ナイロン６にポリアルキレングリコール、ジカルボン酸、アミン等を共重合させた共重合ポリアミド等からなる繊維を挙げることができる。また、ポリエステル系繊維としては例えば、ポリエチレンテレフタレート、ポリブチレンテレフタレート、ポリトリメチレンテレフタレート等からなる繊維を挙げることができる。ポリエチレンテレフタレートやポリブチレンテレフタレートに芳香族ジカルボン酸成分としてイソフタル酸、５−ナトリウムスルホイソフタル酸を共重合させたものや、アジピン酸等の脂肪族ジカルボン酸を共重合させた繊維であってもよい。
【００４１】
また、これらの合成繊維には、紡糸・延伸工程や加工工程での生産性、あるいは特性改善のために、熱安定剤、酸化防止剤、光安定剤、平滑剤、帯電防止剤、可塑剤、増粘剤、顔料、難燃剤等の添加剤を含んでいてもよい。
【００４２】
また、繊維の形態としては、マルチフィラメント糸が本発明の効果を顕著に奏する点で好ましく用いられる。
【００４３】
さらに、単糸断面形状は丸型に限らずいずれの形であってもよい。たとえば、扁平、長方形、菱形、繭型のような左右対称型は勿論、左右非対称型でも良く、あるいはそれらの組み合わせ型でも良い。さらに、突起や凹凸、中空糸があっても良い。
【００４４】
本発明に係る織機用耳部把持装置を用いて製作する織物は、平組織、綾組織、朱子組織及びこれらの変形組織等を使用することができるが、これらに特に限定されるものではない。
【００４５】
本発明にかかる織機用耳部把持装置を用いて製作する織物は、経糸と緯糸と増糸とを基本糸として製織される。増糸とは、その剛性を利用して緯糸を挟みつけて緯糸の緩みを防止するためのもので、緯糸と交絡して耳部を形成するものである。
【００４６】
経糸を所定本数引き揃え、引き揃えた経糸の外側にさらに増糸を引き揃え、緯糸を供給して打ち込み、織物の製織を行うが、前記のとおり耳部の織り前近傍で、織機用耳部把持装置により、供給された緯糸と増糸との交絡状態を維持した後、織物の織機用耳部把持装置から排出される。すなわち、耳部の織り前近傍で、織機用耳部把持装置に把持された耳部は織物の移動に同調して織機用耳部把持装置内を移動し、その後排出される。
【００４７】
排出された耳部は、織物の移動と共に移動するが、前述のとおり耳部の緯糸の切断部から徐々に増糸が離脱していくので、出来上がった織物は増糸を含まない。すなわち、増糸は縦糸とは別の供給装置により供給されるが、経糸がヘルド、筬へ引き通されるのに対し、増糸は筬を通らず、経糸と同様の開口運動によって交絡した緯糸とともに耳部を形成し、織機用耳部把持装置を通過する。増糸は、経糸ビーム近傍から供給し、スプリング式テンサーで加重を付加し、開口ヘルドに引き通す。緯糸を高圧水や圧気により飛走させ、筬によって経糸と緯糸を打ち込んだ後、緯糸カッターで緯糸を切断する。ここにおいて、本発明にかかる織機用耳部把持装置が耳部の交絡状態を維持するよう把持するため、切断した緯糸が耳部から抜けたり緩んだりするのが抑制される。これにより、繊維用耳部把持装置を設置しない場合に比較して、耳部の緯糸クリンプが小さくなり、経糸のクリンプは大きくなる。それにより、経糸張力が高くなり、緯糸の把持力が高まり耳部の織口後退が小さくなる。よって、織物の耳端部と中央部の布長差が小さくなるため、弧形量が小さくなり、耳たるみも改善することができる。
【００４８】
従来法により製織する場合、織り前の織口は、テンプル先端から織り口までの距離で表される。高圧水や圧縮空気により緯糸を飛走させる際に、緯糸には高い張力がかかる。筬による緯糸打ち込み後、カッターで緯糸を切断すると、フリーになった緯糸端部が地側へ戻る。織物の耳部の緯糸張力低下により、緯糸のクリンプが大きく、逆に耳部の経糸クリンプは小さくなるため、耳部の経糸張力が低くなる。その結果、経糸による緯糸の把持力がなくなり、織り口の後退が大きくなる。そして織物の弧形量が大きくなり、耳たるみの発生や織物の物性悪化につながる。しかし本発明に係る織機用耳部把持装置を用いて製織することにより、上記のような問題が解消される。
【００４９】
本発明にかかる製織用耳部把持装置を用いて製織する際の増糸の供給は、遊星装置やボビンを使用せず、三角コーン又は紙管から供給するのが通常である。特に、供給時の張力を管理するため、スプリングワッシャーを用いるのが好ましい。
【００５０】
増糸は、マルチフィラメントであること、また捲縮している糸であることが、適度な捲縮を与えることで製織中の増糸の張力変動が小さく、好ましい。増糸の素材は特に制約されないが、ポリエステル又はナイロンが一般的に入手しやすく、経糸との糸特性が近くなるよう選択することが好ましい。
【００５１】
増糸の総繊度は、緯糸の総繊度より大きいことが好ましい。耳部での増糸と緯糸との交絡強度を、経糸と緯糸との交絡強度よりも大きく保ち、切断後の緯糸が耳部から抜け落ちたり緩んだりするのを防ぐためである。
【００５２】
増糸の本数は、本発明の効果を最大限に発揮できるという観点から、４〜８本であることが好ましい。
【００５３】
本発明にかかる織機用耳部把持装置を用いた織物は、高速運転できることからジェットルームで製織することが好ましい。特にウォータージェットルームが本発明の効果を顕著に奏する点で好ましい。ウォータージェットルームは、緯糸を高圧水により飛走させ、緯糸を打ち込み後、緯糸を緯糸ノズル側で切断する。そのため、ウォータージェットルームは、エアジェットルームやレピア織機と比較して、緯糸の飛走張力が高い傾向にあり、更なる耳部の緯糸把持力向上が求められるため、特に高速運転、広幅織物のとき追加糸（増糸）の使用および本発明の織機用耳部把持装置による効果が顕著となるからである。
【００５４】
本発明にかかる織機用耳部把持装置を用いて高密度織物を製織する場合、ウォータージェットルームで製織後、乾燥および／または原糸に付着していた油剤の除去や皴の除去のために精練・セット加工することが好ましい。
【００５５】
織物の幅は特に限定されないが、広幅であるほど耳たるみが発生しやすいことから、例えば、経糸のみが存在する領域が１４０ｃｍ以上、特に１８０ｃｍ以上の織物において特に有用である。上限としては２８０ｃｍ以下とすることが、製造上、好ましい。
【００５６】
次に、本発明にかかる織機用耳部把持装置を用いて製織する方法について説明する。
【００５７】
前記糸を経糸、増糸、緯糸に用い、織物設計に準じた繊度の経糸及び増糸を整経して織機にかけ、同様に緯糸の準備をする。増糸は通常、経糸よりも太いものを用いる。織機としては、ウォータージェットルームを用いることが経糸毛羽発生低減や生産性向上の点から好ましい。
【００５８】
経糸及び増糸の張力は１０〜２５０ｃＮ／本が好ましく、より好ましくは２０〜２００ｃＮ／本である。かかる範囲内にすることにより、織物を構成する糸の糸束中の単繊維間空隙を減少させることができ、緻密な織物を得ることができる。また、緯糸入れ後に、上記張力をかけられた経糸が緯糸を押し曲げることで、緯糸方向の織物の組織拘束力を高め、織物の杭目ズレ性が向上し、縫製製品の縫い目部分を強固にすることができる。経糸張力が小さいと、経糸と緯糸との織物中での接触面積を増やすことができず、滑脱抵抗力が所望のところまで得られにくく、また、単繊維間空隙を減少させる効果が小さい。経糸張力が大きすぎると、経糸がヘルドメールでの摩擦により毛羽が発生しやすくなる傾向がある。
【００５９】
経糸張力を上記範囲内に調整する具体的方法としては、織機の経糸送り出し速度を調整するほか、緯糸の打ち込み速度を調整する方法が挙げられる。経糸張力が製織中に実際に上記範囲内になっているかどうかは、例えば織機稼働中に経糸ビームとバックローラーとの中間において、経糸一本当たりに加わる張力を測定することにより確認することができる。また、経糸開口における上糸シート張力と下糸シート張力に差を付けることが好ましい。
【００６０】
調整方法としては、例えば、バックローラー高さを、水平位置から例えば１０〜３０ｍｍ高めの位置に設置するなどして、上糸と下糸の走行線長に差を付ける方法がある。また、上糸張力と下糸張力との差を付ける他の方法としては、例えば開口装置にカム駆動方式を採用し、上糸・下糸の片側のドエル角を他方よりも１００度以上大きく取る方法もあり、ドエル角を大きくした方の張力が高くなる。
【００６１】
次に、必要があれば、製織工程後、精練、熱セット等の加工を施す。
【００６２】
本発明にかかる織機用耳部把持装置を用いて製織した織物は、高速で製織しても耳部の折口の後退や耳たるみの発生を効果的に抑止できる。例えば４００〜９００ｒｐｍ程度の高速回転で織機を稼働させても耳たるみの発生が極めて抑制されているので、設計通りの形状に裁断でき縫製も容易である。また、耳たるみの発生が抑制されているため、織物廃棄が少なくコスト的にも有利である。
【実施例】
【００６３】
以下実施例を用いて本発明の構成および効果を詳細に説明する。【００６４】
[測定方法]
（１）総繊度
ＪＩＳ  Ｌ  １０１３：２０１０  ８．３．１ Ａ法により、所定荷重０．０４５ｃＮ／ｄｔｅｘで正量繊度を測定して総繊度とした。【００６５】
（２）単繊維数
ＪＩＳ  Ｌ  １０１３：２０１０  ８．４の方法で算出した。【００６６】
（３）単繊維繊度
総繊度を単繊維数で除することで算出した。【００６７】
（４）タテ糸・ヨコ糸の織密度
ＪＩＳ  Ｌ  １０９６：２０１０  ８．６．１に基づき測定した。
試料を平らな台上に置き、不自然なしわや張力を除いて、異なる５カ所について２．５４ｃｍ間のタテ糸およびヨコ糸の本数を数え、それぞれの平均値を算出した。【００６８】
（５）強度・伸度
ＪＩＳ  Ｌ  １０１３：２０１０  ８．５．１標準時試験に示される定速伸長条件で測定した。試料をオリエンテック社製“テンシロン”（ＴＥＮＳＩＬＯＮ）ＵＣＴ−１００を用い、掴み間隔は２５ｃｍ、引張り速度は３０ｃｍ／分で行った。なお、伸度はＳ−Ｓ曲線における最大強力を示した点の伸びから求めた。【００６９】
（６）製織時の経糸張力
金井工機（株）製“チェックマスター”（登録商標）（形式：ＣＭ−２００ＦＲ）を用い、織機稼動中に経糸ビームとバックローラーとの中間において、経糸一本当たりに加わる張力を測定した。【００７０】
（７）耳たるみの評価
図５に示すように、織物１０の幅方向の中心部に５００ｍｍの間隔で２点の印（１０２Ａ、１０２Ｂ）を付し、各々の織物中心部の印１０２Ａ、１０２Ｂから幅方向両端である織物の緯糸ノズル側端部１０１Ａ、織物の反緯糸ノズル側端部１０２Ｂ方向に、緯糸に沿って２本の線（１０３Ａ、１０３Ｂ）を引く。この場合、織物１０の交絡状態は、中心部に比べて両サイド側で緩みがちになるので、２本の線は図５に示すように両サイド側で織前側に湾曲し、かつ、２本の線、すなわち緯糸方向の線１０３Ａ、１０３Ｂの間隔は、周辺部のほうが中心部より広くなる傾向を示す。従って、織物の中央部では２本の緯糸方向の線１０３Ａ、１０３Ｂの距離は５００ｍｍであるが、耳たるみが大きくなると両サイドである織物の緯糸ノズル側の端部１０１Ａ、織物の緯糸ノズル側でない側の端部１０１Ｂ側ほど２本の緯糸方向の線１０３Ａと１０３Ｂとの間隔は広くなる。【００７１】
次に、２本の緯糸方向の線１０３Ａ、１０３Ｂの間に、織物の両端である織物の緯糸ノズル側端部１０１Ａ、織物の反緯糸ノズル側端部１０１Ｂから２０ｍｍ間隔で、経方向に線、すなわち経糸方向の線１０４Ａ、１０４Ｂを引き、緯糸方向の線１０３Ａ、１０３Ｂ、経糸方向の１０４Ａ、１０４Ｂに沿って裁断し、織物の端部に生じる２つの長方形に近い形状の短冊体を得る。その短冊体の経方向（すなわち、長さ方向）の長さを測定し、耳たるみを評価した。【００７２】
[実施例]
（経糸・緯糸）
ポリエステルからなり、円形の断面形状を有し、単繊維繊度２．３３ｄｔｅｘ、フィラメント数３６、総繊度８４ｄｔｅｘ、無撚りで、強度４．２１ｃＮ／ｄｔｅｘ、伸度４０％のマルチフィラメントを準備した。【００７３】
（製織）
上記の糸を経糸、緯糸に用い、後述する製織用耳部把持装置を付設したウォータージェットルームで、製織時の経糸張力を２０ｃＮ／本、織機回転数は５００ｒｐｍ、経糸密度１３３本／２．５４ｃｍ、緯糸密度１３３本／２．５４ｃｍ、幅（経糸が存在する部分の幅）２００ｃｍの平織物を製織した。【００７４】
尚、増糸としては、ポリエステルからなり、円形の断面形状を有し、単繊維繊度３．４４ｄｔｅｘ、フィラメント数９６ｆ、総繊度３３０ｄｔｅｘの加工糸３本合撚糸を使用し、所定本数引き揃えた経糸の外側両方に４本ずつ供給して引き揃え、増糸張力を１３０ｃＮ／本に設定して供給した。経糸と増糸との間には、耳房用として、５ｍｍの間隙を設けた。排出された耳部は、耳房が徐々に増糸から離脱し、増糸はガイドを通して反緯糸ノズル側のキャッチコードと同じルートで回収した。【００７５】
（製織用耳部把持装置）
増糸と緯糸とが交絡してなる耳部が織物の送り出し方向に通過可能な耳部通過空間部と、緯糸が織物の送り出し方向に移動可能な緯糸移動空隙部とを備えるとともに、前記耳部通過空間部に配した１対の板バネを供えた図３の製織用耳部把持装置２機を、織機の織り前近傍の緯糸ノズル側および反緯糸ノズル側それぞれの端に、設置した。【００７６】
前記製織用耳部把持装置７の本体は、ステンレス鋼製よりなる直方体状（幅６ｍｍ、高さ３０ｍｍ、長さ２５ｍｍ）である。図３に示すように、製織用耳部把持装置７は、幅４ｍｍ、高さ１０ｍｍの耳部通過空間への入口７１Ａと耳部通過空間からの出口７２Ａとを備える。そして耳部通過空間に２つの弾性耳部挟持部材が上下から設けられている。２つの弾性耳部挟持部材はそれぞれ板バネ７４Ａ、７４Ｂおよび板バネ支持体７５Ａ、７５Ｂから構成されている板バネ７４Ａ、７４Ｂは、それぞれ厚さ０．３ｍｍのステンレス鋼製であり、長さ２０ｍｍの平板部の両端に円弧部を備え、板バネ支持体７５Ａ、７５Ｂとボルトで固定されている。その結果、耳部把持長さは２０ｍｍ、耳部把持幅は４ｍｍとした。１対の板バネの平板部間を、耳部が織物の流れに同調して通過するよう、耳部を狭持するよう構成された。さらに、図４に示すように、製織用耳部把持装置７の両側面には、緯糸ノズル側緯糸移動空隙７２Ａと織物側耳部移動空隙部７２Ｂが形成されている。この空隙の幅は、緯糸の径よりも若干大きいが、緯糸と増糸とが交絡した耳部の厚みよりも小さく形成されている。その結果、緯糸は織物の流れに沿って平行移動するが、緯糸が緯糸カッターで切断された後においても、耳部が緯糸移動空隙から織物側に抜け出ることはない。【００７７】
[比較例]
製織用耳部把持装置と増糸を用いない以外は実施例と同様の方法で、製織した。【００７８】
[耳たるみの評価]
以下に実施例、比較例によって得られた織物を上記耳たるみの評価方法で評価した。短冊体の長さを示す。これから明らかなように、本発明にかかる製織用耳部把持装置を用いて製織した織物は、耳端部の織り口の後退や耳たるみの発生が減少していた。
[実施例の耳たるみ]
Ｌ側：５１０．５ｍｍ
Ｒ側：５１２．５ｍｍ
[比較例の耳たるみ]
Ｌ側：５１８．０ｍｍ
Ｒ側：５２０．０ｍｍ
【符号の説明】
【００７９】
１  経糸
２  増糸
３  筬
４  緯糸ノズル
５  緯糸
６  緯糸カッター
７  織機用耳部把持装置
８  耳房
９  筬親羽
１０  織物
１１  耳部
７１Ａ  耳部通過空間部の入口
７１Ｂ  耳部通過空間部の出口
７２Ａ  緯糸ノズル側緯糸移動空隙、
７２Ｂ  織物側緯糸移動空隙
７３  ボルト
７４Ａ、７４Ｂ  板バネ
７５Ａ、７５Ｂ  板バネ支持体
１０１Ａ  織物の緯糸ノズル側端部
１０１Ｂ  織物の緯糸ノズル側でない側の端部
１０２Ａ、１０２Ｂ  織物中心部の印
１０３Ａ、１０３Ｂ  緯糸に沿った線
１０４Ａ、１０４Ｂ  経糸に沿った線
Ｌ、Ｒ  短冊
Ｘ  緯糸方向
Ｙ  経糸方向
【図１】
2015041176.tif 000003
【図２】
2015041176.tif 000004
【図３】
2015041176.tif 000005
【図４】
2015041176.tif 000006
【図５】
2015041176.tif 000007
【国際調査報告】
2015041176.tif 000008
2015041176.tif 000009
2015041176.tif 000010
2015041176.tif 000011